(57)【要約】【課題】家屋の屋根に設置して降雪時に屋根への積雪を防止したり、屋根上の積雪を効率的に融雪することができ、しかも施工が簡単で、廉価な温水融雪装置を提供する。【解決手段】家屋１の屋根３に設置して降雪時に屋根３への積雪を防止したり、屋根上の積雪を融雪する温水融雪装置において、温水供給源２２と、この温水供給源２２から供給された温水を屋根上に導く温水配管１７と、温水配管１７と接続され、屋根上に温水を散水する温水散水器１４と、この温水散水器１４を屋根上に固定する固定部材としてのクランプ金具１０を具備したことを特徴とする。【選択図】      図１
0003110511.tif 000002
【実用新案登録請求の範囲】
【請求項１】
家屋の屋根に設置して降雪時に屋根への積雪を防止したり、屋根上の積雪を融雪する温水融雪装置において、
温水供給源と、
この温水供給源から供給された温水を前記屋根上に導く温水配管と、
前記温水配管と接続され、前記屋根上に温水を散水する温水散水器と、
この温水散水器を前記屋根上に固定する固定部材と、
を具備したことを特徴とする温水融雪装置。
【請求項２】
前記温水散水器は、前記屋根の棟構成部材に１個もしくは複数個設けられ、屋根勾配に向って温水を散水することを特徴とする請求項１記載の温水融雪装置。
【請求項３】
前記温水散水器は、温水の供給圧力によって旋回する旋回ノズルを備え、屋根勾配に向って温水を噴射することを特徴とする請求項１記載の温水融雪装置。
【請求項４】
前記固定部材は、前記屋根の棟構成部材に締付け固定するクランプ金具であることを特徴とする請求項１記載の温水融雪装置。
【請求項５】
前記固定部材は、前記屋根の棟構成部材に支持される支持部材と、この支持部材を前記棟構成部材に押圧支持するように前記支持部材と前記屋根との間に張設される複数本のワイヤとからなることを特徴とする請求項１記載の温水融雪装置。
【考案の詳細な説明】
【技術分野】
【０００１】
この考案は、特に豪雪地における家屋の屋根に設置して降雪時に屋根への積雪を防止したり、屋根上の積雪を融雪する温水融雪装置に関する。
【背景技術】
【０００２】
豪雪地においては、冬期に家屋の屋根上に大量に積雪し、その雪の重みによって家屋が破損することがある。また、気温の上昇によって屋根上の積雪が融けると、屋根の勾配によって雪が軒下に一挙に滑り落ちるなどの危険性を伴う。
【０００３】
そこで、豪雪地においては、家屋の屋根に登り、スコップ等を用いて屋根の雪を降ろす、「雪降ろし」が欠くことができない作業となっている。しかし、高所であるとともに屋根の勾配によって滑りやすく転落の危険性があり、毎年犠牲者が続出しているのが実情である。
【０００４】
一方、高齢化社会が進んでおり、高齢家族の家庭においては、危険を伴う雪降ろし作業を業者に依頼することも少なくなく、豪雪地においては毎年雪降ろし作業に莫大な費用を要している。
【０００５】
そこで、前述のような問題を解消するために、瓦屋根において、屋根を構成する野地板上に敷設される瓦下地材に温水パイプを配管するための配管溝を設け、この配管溝に温水パイプを配管するとともに、瓦下地材に温水パイプを被うように瓦を敷設した融雪瓦屋根構造が知られている（例えば、特許文献１参照。）。
【特許文献１】実公平３−５２３９０号公報
【考案の開示】
【考案が解決しようとする課題】
【０００６】
前述した特許文献１によれば、温水器等から瓦下地材の温水パイプに温水を流すことにより、瓦が加温され、降雪時に瓦屋根への積雪を防止したり、瓦屋根上の積雪を融雪することができる。従って、危険を伴う雪降ろし作業の悩みを解消することができる。
【０００７】
しかしながら、瓦自体は、一般的に断熱材によって形成されているため、温水パイプ中を流れる温水から瓦への熱伝導が悪く、瓦を加温するまでに時間がかかり、瓦上の雪を効率よく融かすことができない。また、屋根上に敷設される瓦下地材に温水パイプを密集して配管する必要があり、配管作業が困難であるとともに施工に多額の費用を要する。
【０００８】
この考案は、前記事情に着目してなされたもので、その目的とするところは、家屋の屋根に設置して降雪時に屋根への積雪を防止したり、屋根上の積雪を効率的に融雪することができ、しかも施工が簡単で、廉価な温水融雪装置を提供することにある。
【課題を解決するための手段】
【０００９】
この考案は、前記目的を達成するために、家屋の屋根に設置して降雪時に屋根への積雪を防止したり、屋根上の積雪を融雪する温水融雪装置において、
温水供給源と、この温水供給源から供給された温水を前記屋根上に導く温水配管と、前記温水配管と接続され、前記屋根上に温水を散水する温水散水器と、この温水散水器を前記屋根上に固定する固定部材とを具備したことを特徴とする。
【００１０】
前記温水散水器は、好ましくは、前記屋根の棟構成部材に１個もしくは複数個設けられ、屋根勾配に向って温水を散水することを特徴とする。
【００１１】
前記温水散水器は、好ましくは、温水の供給圧力によって旋回する旋回ノズルを備え、屋根勾配に向って温水を噴射することを特徴とする。
【００１２】
前記固定部材は、好ましくは、前記屋根の棟構成部材に締付け固定するクランプ金具であることを特徴とする。
【００１３】
前記固定部材は、好ましくは、前記屋根の棟構成部材に支持される支持部材と、この支持部材を前記棟構成部材に押圧支持するように前記支持部材と前記屋根との間に張設される複数本のワイヤとからなることを特徴とする。
【００１４】
前述のように構成された温水融雪装置によれば、豪雪地において、屋根への積雪を防止したいとき、あるいは屋根上に既に積雪し、屋根上の積雪を融雪したいとき、温水供給源から温水を温水配管を介して屋根に揚水する。屋根に揚水された温水は温水散水器の水平管体から垂直管体に導かれ、複数の温水噴出口から温水が周囲に散水される。
【００１５】
このとき、垂直管体から羽根に向って供給される温水の供給圧力によって旋回ノズルに旋回力が作用して旋回ノズルが旋回する。従って、温水は旋回ノズルの旋回によって屋根上に散水される。
【考案の効果】
【００１６】
この考案によれば、温水散水器から屋根上に温水が散水されると、屋根の表面が温水によって加温され、降雪時に屋根への積雪を防止できる。また、屋根上に積雪している場合、温水散水器から積雪上に散水される温水によって効率的に融雪することができる。さらに、瓦葺き、瓦棒葺き、トタン葺き等、どのような屋根構造であっても簡単に取り付けることができるという効果がある。
【考案を実施するための最良の形態】
【００１７】
以下、この考案の実施の形態を図面に基づいて説明する。
【００１８】
図１〜図３は第１の実施形態を示し、図１は豪雪地の二階建て家屋１を示し、２は一階の屋根、３は二階の屋根を示す。二階の屋根３の棟４にはこの考案の温水融雪装置５が設置され、降雪時に屋根３への積雪を防止したり、屋根３上の積雪を融雪するようになっている。温水融雪装置５は、図２（ａ）（ｂ）及び図３に示すように構成され、棟４に固定されている。
【００１９】
すなわち、二階の屋根３は瓦棒葺きであり、屋根３の棟４にはその長手方向に沿って棟構成部材６が設けられている。棟構成部材６は屋根３の傾斜面から垂直に突出する２枚の突出板７と、この２枚の突出板７の上部に固定された山形状のあおり板８とから構成されている。従って、棟構成部材６は屋根３の棟４から一段高く突出して設けられている。
【００２０】
前記温水融雪装置５は、棟構成部材６のあおり板８の形状に倣って山形状に形成された座部９を持った固定部材としてのクランプ金具１０を有している。クランプ金具１０には座部９と一体に形成され、突出板７に対向する一対の垂直板１１を有しており、これら垂直板１１には突出板７に対向するねじ孔１２が設けられている。これらねじ孔１２には垂直板１１の外側から締付けねじ１３が螺合され、締付けねじ１３の頭部１３ａは外部に位置し、先端部１３ｂは突出板７に対向している。そして、クランプ金具１０は締付けねじ１３の頭部１３ａを握って締付けねじ１３を締付けることにより、先端部１３ｂは突出板７に当接して棟構成部材６にクランプ固定されている。
【００２１】
クランプ金具１０には上方に突出する温水散水器１４が設けられている。この温水散水器１４には垂直管体１５と、垂直管体１５と一体の水平管体１６とからなり、水平管体１６には温水配管１７と接続されている。垂直管体１５の上端部にはフランジ１８が設けられ、フランジ１８には温水の供給圧力によって旋回する旋回ノズル１９がベアリング（図示しない）を介して回転自在に設けられている。
【００２２】
旋回ノズル１９は、その内部に垂直管体１５の開口と対向する羽根２０が設けられている。この羽根２０に温水の供給圧力が加わると、その圧力によって旋回ノズル１９に旋回力が作用して旋回ノズル１９が旋回するようになっている。さらに、旋回ノズル１９の外周壁には複数の温水噴出口２１が設けられ、温水を周囲に散水できるようになっている。なお、前記温水配管１７は家屋１に備えられている家庭用温水器、ボイラー等の温水供給源２２に接続され、温水配管１７の途中には開閉コック２３が設けられている。
【００２３】
前述のように構成された温水融雪装置５によれば、豪雪地において、屋根３への積雪を防止したいとき、あるいは屋根３上に既に積雪し、屋根３上の積雪を融雪したいとき開閉コック２３を開とする。温水供給源２２からの温水は温水配管１７を介して屋根３に揚水される。屋根３に揚水された温水は温水散水器１４の水平管体１６から垂直管体１５に導かれ、旋回ノズル１９の複数の温水噴出口２１から温水が屋根上に散水される。このとき、垂直管体１５から羽根２０に向って供給される温水の供給圧力によって旋回ノズル１９に旋回力が作用して旋回ノズル１９が旋回する。従って、温水は旋回ノズル１９の旋回によって周囲に散水される。
【００２４】
この場合、旋回ノズル１９に旋回力によって遠方まで温水を散水可能であるが、温水融雪装置５の個数、間隔は、屋根３の大きさ（屋根の面積）によって変更可能である。
【００２５】
温水散水器１４から屋根３上に温水が散水されると、屋根３の表面が温水によって加温され、降雪時に屋根３への積雪を防止できる。また、屋根３上に積雪している場合、温水散水器１４から積雪上に散水される温水によって融雪することができる。従って、家屋１の屋根３に登り、スコップ等を用いて屋根３の雪を降ろす、「雪降ろし」が不要となる。
【００２６】
さらに、棟構成部材６に温水融雪装置５をクランプ固定することにより、温水融雪装置５を屋根３に簡単に固定でき、屋根３が瓦葺き、瓦棒葺き、トタン葺き等、どのような屋根構造であっても簡単に取り付けることができる。従って、シーズンオフの際には温水融雪装置５を屋根３から取り外して保管することも可能である。
【００２７】
図４（ａ）（ｂ）は第２の実施形態を示し、屋根３の棟構成部材６に支持される支持部材２４を有している。この支持部材２４は棟構成部材６のあおり板８の形状に倣って山形状に形成された座部２５を持ち、座部２５には上方に突出する温水散水器１４が設けられている。
【００２８】
さらに、支持部材２４には支持部材２４と屋根３の軒部との間に張設される複数本のワイヤ２６が接続されている。そして、ワイヤ２６の張力によって支持部材２４の座部２６を棟構成部材６に押圧して支持固定するようになっている。
【００２９】
前述のように、棟構成部材６に温水融雪装置５をワイヤ２６によって固定することにより、温水融雪装置５を屋根３に簡単に固定でき、屋根３が瓦葺き、瓦棒葺き、トタン葺き等、どのような屋根構造であっても簡単に取り付けることができる。従って、シーズンオフの際には温水融雪装置５を屋根３から取り外して保管することも可能である。
【００３０】
また、前記実施形態において、二階建て家屋１の場合について説明したが、平屋建て家屋の場合にも同様に適用できる。さらに、温水散水器１４の旋回ノズル１９に複数の温水噴出口２１を設け、旋回ノズル１９に供給される温水の供給圧力によって旋回ノズル１９に旋回力が作用して旋回ノズル１９が旋回して屋根３の周囲に散水するようにしたが、温水散水器１４の構造は限定されるものではなく、温水散水器１４の個数も適宜選択可能である。
【００３１】
なお、この考案は、前記実施形態そのままに限定されるものではなく、実施段階ではその要旨を逸脱しない範囲で構成要素を変形して具体化できる。また、前記実施形態に開示されている複数の構成要素の適宜な組合せにより種々の考案を形成できる。例えば、実施形態に示される全構成要素から幾つかの構成要素を削除してもよい。さらに、異なる実施形態に亘る構成要素を適宜組合わせてもよい。
【図面の簡単な説明】
【００３２】
【図１】この考案の第１の実施形態を示し、家屋の側面図。
【図２】同実施形態を示し、（ａ）は温水融雪装置の側面図、（ｂ）は同じく正面図。
【図３】同実施形態を示し、図２（ａ）のｃ部を拡大した断面図。
【図４】この考案の第２の実施形態を示し、（ａ）は温水融雪装置の側面図、（ｂ）は同じく正面図。
【符号の説明】
【００３３】
１…家屋、２，３…屋根、４…棟、５…温水融雪装置、６…棟構成部材、１０…クランプ金具、１４…温水散水器、１７…温水配管、２２…温水供給源、２６…ワイヤ
【図１】
0003110511.tif 000003
【図２】
0003110511.tif 000004
【図３】
0003110511.tif 000005
【図４】
0003110511.tif 000006